(57)【要約】【課題】加熱部の火力を複数段階に設定できる火力設定キーを備え、火力設定キーを新たに設けることなく、火力変更の際の操作性を向上させること。【解決手段】火力アップキー４ａあるいは火力ダウンキー４ｂを第１の所定時間受け付けると加熱部１の火力を一段階変更し、火力ダウンキー４ｂのみを前記第１の所定時間より長い第２の所定時間以上受け付けた場合のみ、加熱部１の火力を一段階ずつ一定間隔でさらに一段階以上低下させる。【選択図】図１
2013019667.tif 000002
【特許請求の範囲】
【請求項１】
加熱部と、前記加熱部の動作を設定すると共に、この設定内容を表示する操作表示部と、前記加熱部の火力を複数段階に設定できる火力設定キーと、を備え、前記火力設定キーは、前記加熱部の火力を上昇させる火力アップキーと、前記加熱部の出力を低下させる火力ダウンキーから構成され、前記操作表示部は、前記火力アップキーあるいは前記火力ダウンキーを第１の所定時間受け付けると前記加熱部の火力を一段階変更し、前記火力ダウンキーを前記第１の所定時間より長い第２の所定時間以上受け付けた場合のみ、前記加熱部の火力を一段階ずつ一定間隔で更に一段階以上低下させる構成とした加熱調理器。
【請求項２】
前記操作表示部は、第２の所定時間以上受け付けた場合に、長押しが続いている間加熱部の火力を複数段階低下させる構成とした請求項１に記載の加熱調理器。
【発明の詳細な説明】
【技術分野】
【０００１】
本発明は一般家庭やレストラン及びオフィスなどで使用される操作表示部を備えた加熱調理器に関するものである。
【背景技術】
【０００２】
従来、この種の加熱調理器は、鍋などの負荷を加熱する加熱部１０１と、加熱部１０１の動作を設定すると共に、この設定内容を表示する操作表示部１０２とが備えられている。また、この操作表示部１０２には、加熱部のオン・オフを制御する加熱キー１０３、加熱部１０１の火力を複数段階に設定でき、火力を強くする火力アップキー１０４ａ、火力を弱くする火力ダウンキー１０４ｂからなる、火力設定キー１０４及び、火力設定キー１０４にて設定した火力の表示を行う加熱表示素子１０５と、加熱表示素子１０５の近傍に配置され、加熱部１０１にて設定可能な設定火力を文字または記号により表示する火力表示素子１０６が設けられている。これらにより、設定可能な火力段階及び使用中の火力を視覚的に把握できるようになっている。
【０００３】
上記構成において、利用者は加熱キー１０３を押す毎に加熱部１０１オン・オフを制御できると共に、火力アップキー１０４ａを押す毎に加熱部１０１の火力を１段階ずつ強くでき、火力ダウンキー１０４ｂを押す毎に加熱部１０１の火力を１段階ずつ弱くできる。また、現在、加熱部１０１に設定されている設定火力を、火力表示素子１０６に表示する。
【先行技術文献】
【特許文献】
【０００４】
【特許文献１】特許第３８４５００６号公報
【発明の概要】
【発明が解決しようとする課題】
【０００５】
前記従来の構成では、火力アップキー１０４ａあるいは火力ダウンキー１０４ｂを１度押す毎に加熱部１０１の火力を１段階強くあるいは弱くすることができる。しかしながら、加熱部１０１にて設定可能な設定火力が「１・２・３・４・５」の５段階であり、火力設定「１」の状態から、火力設定「５」に変更するためには、火力ダウンキー１０４ｂを４回押さなければならず、逆もまた、然りである。そのため、利用者にとって煩わしく、素早く火力変更をするのが困難である。
【０００６】
上記のように、加熱部１０１の火力を大幅に変更したい場合などにおいて、火力設定キーを何度も押さなければならず、利用者にとって煩わしく、調理ミスをしてしまう恐れがある。
【０００７】
本発明は前記従来の課題を解決するもので、利用している火力設定を大幅に変更したい場合でも、素早く火力変更ができ、利用者に、より使い勝っての良い加熱調理器を提供することを目的とする。
【課題を解決するための手段】
【０００８】
上記目的を達成するために、本発明の加熱調理器は、加熱部と、前記加熱部の動作を設定すると共に、この設定内容を表示する操作表示部と、加熱部の火力を複数段階に設定できる火力設定キーと、を備え、前記火力設定キーは、前記加熱部の火力を上昇させる火力アップキーと、前記加熱部の出力を低下させる火力ダウンキーから構成され、前記操作表
示部は、前記火力アップキーあるいは前記火力ダウンキーを所定時間受け付けると前記加熱部の火力を一段階変更し、前記火力ダウンキーを前記第１の所定時間より長い第２の所定時間以上受け付けた場合のみ、前記加熱部の火力を一段階ずつ一定間隔で更に一段階以上低下させる構成としたものである。
【０００９】
これにより、火力設定キーを増加させることなく、加熱部の火力を１段階だけ変更したい場合と、複数段階低下させたい場合の両方のケースを同時に満足することができ、また、火力を低下させる場合のみとすることで安全性を保ちながら、火力変更を素早く行うことができる。さらに、火力設定キーが煩雑でないため、利用者に直感的に分かりやすい。また、加熱部の火力調節を利用者が任意に素早く行うことができるため、使い勝手を向上させることができる。
【発明の効果】
【００１０】
本発明の加熱調理器は、加熱部の火力設定を変更するとき、同一の火力設定キーの受け付け方のみを変更することにより、加熱部の火力を一段階変更する場合と、複数段階低下させる場合とを同時に満足する操作を行うことができ、加熱部の火力調節を利用者が任意に素早く行うことができるため、火力設定キーを煩雑にすることなく、安全性を確保しつつ、利用者により使い勝手の良い加熱調理器を提供できる。
【図面の簡単な説明】
【００１１】
【図１】本発明の参考の形態１、実施の形態１における加熱調理器の略図及びブロック図
【図２】従来例における加熱調理器の略図
【発明を実施するための形態】
【００１２】
第１の発明は、加熱部と、前記加熱部の動作を設定すると共に、この設定内容を表示する操作表示部と、前記加熱部の火力を複数段階に設定できる火力設定キーとを有し、火力設定キーは、加熱部の火力を上昇させる火力アップキーと、加熱部の出力を低下させる火力ダウンキーから構成され、前記操作表示部は、前記火力アップキーあるいは前記火力ダウンキーを第１の所定時間受け付けると加熱部の火力を一段階変更すると共に、前記火力ダウンキーを前記第１の所定時間より長い第２の所定時間以上受け付けた場合のみ、前記加熱部の火力を一段階ずつ一定間隔で更に一段階以上低下させる構成としたことにより、新たな火力設定キーを設けることなく、加熱部の火力を一段階変更する場合と、複数段階変更する場合の両方の操作を行うことができ、かつ、加熱部の火力を複数段階変更する操作として、火力ダウンキーのみを対象とすることにより、誤使用や誤動作にて加熱部の火力を異常に上昇させてしまうことを防止できるため、安全性を維持しながら、操作性の向上を図ることができる。また、加熱部の火力調節を利用者が任意に素早く行うことができるため、使い勝手を向上させることができる。
【００１３】
第２の発明は、特に、第１の発明の前記操作表示部を、前記火力ダウンキーを前記第２の所定時間以上受け付けた場合に、長押しが続いている間前記加熱部の火力を複数段階低下させる構成としたことにより、加熱部の火力調節を素早く行うことができるため、操作性を向上させることができる。
【００１４】
以下本発明の加熱調理器の実施の形態を図面に基づいて説明する。なお、この実施の形態によって本発明が限定されるものではない。
【００１５】
（参考の形態１）
以下本発明の参考の形態を図面に基づいて説明する。図１は本発明の参考の形態の構成を示すブロック図である。
【００１６】
図１の加熱調理器において、鍋などの負荷を加熱する加熱部１を有し、操作表示部２は、加熱部１の動作設定状態を設定し、その設定状態に対応した表示を行う、スイッチ等、ＬＥＤやＬＣＤで構成したものである。
【００１７】
上記構成において、その動作を説明する。使用者が操作表示部２のスイッチ等を操作することにより操作表示部２は、加熱部１に動作開始あるいは設定火力の信号を出力する。これを受けた加熱部１は加熱動作を開始し、あるいは加熱動作中のものに対しては火力の設定を変更するなどの動作を行う。
【００１８】
これと同時に操作表示部２は設定した各加熱部の状態を表示している。この時、操作表示部２はＬＥＤやＬＣＤで構成された動作表示要素を有しているため、使用者が加熱部１がどのような設定状態で動作しているかを容易に視認することができる。
【００１９】
例えば、加熱部１を加熱し、鍋などの負荷を加熱する場合には、図１に示す操作表示部２の加熱キー３及び、火力アップキー４ａ、火力ダウンキー４ｂから構成させる火力設定キー４により、加熱開始と停止は加熱キー３を押す毎に設定でき、加熱動作中に火力アップキー４ａまたは火力ダウンキー４ｂを押せば、加熱火力を変更する。また、加熱火力の設定は、火力「５」の２５００Ｗ、火力「４」の２０００Ｗ、火力「３」の１５００Ｗ、火力「２」の１０００Ｗ、火力「１」の５００Ｗの５段階に変更可能である。これと同時に加熱部の加熱状態を示す加熱表示素子５、火力設定状態を示す火力表示素子６にてそれぞれ、設定されている状態を点灯・消灯により表示する。加熱動作中であれば加熱状態を示す加熱表示素子５を点灯させ、加熱停止中であれば消灯させる。また、火力設定状態を示す火力表示素子６には、設定されている火力、本実施の形態では「５」・「４」・「３」・「２」・「１」といった火力に対応したＬＥＤを点灯させる。
【００２０】
上記構成において、加熱部１を加熱動作させるために、加熱キー３を第１の所定時間（例えば０．２秒）押すことにより、操作表示部２にてその入力を受け付け、加熱部１に加熱動作信号を出力すると共に、加熱状態を示す加熱表示素子５を点灯させ、火力設定状態を示す火力表示素子６に加熱部１の初期火力「３」を表示する。すなわち、操作表示部２は加熱キー３が第１の所定時間押されることにより、その入力を受け付け、また、操作表示部２から加熱動作信号を受けた加熱部１は、初期火力「３」にて、加熱動作を開始する。
【００２１】
さらに、加熱部１の設定火力を変更するために、火力アップキー４ａあるいは火力ダウンキー４ｂを第１の所定時間（例えば０．２秒）押すことにより、操作表示部２にてその入力を受け付け、加熱部１に火力一段階変更信号を出力すると共に、火力設定状態を示す火力表示素子６に加熱部１の変更後の火力「４」（火力アップキー４ａを押した場合）あるいは「２」（火力ダウンキー４ｂを押した場合）を表示する。すなわち、操作表示部２は火力設定キー４が第１の所定時間押されることにより、その入力を受け付け、また、操作表示部２から火力一段階変更信号（上昇あるいは低下）を受けた加熱部１は、変更後の火力「４」（操作表示部２が火力アップキー４ａを受け付けた場合）あるいは「２」（操作表示部２が火力ダウンキー４ｂを受け付けた場合）に火力を変更し、加熱動作を継続する。
【００２２】
また、加熱部１が設定火力「５」にて動作中（火力設定状態を示す火力表示素子６に火力「５」が表示された状態）に、加熱部１の設定火力を変更するために、火力ダウンキー４ｂを第１の所定時間より長い第２の所定時間以上（例えば０．３秒以上）長押しすることにより、操作表示部２にてその入力を受け付け、加熱部１に火力複数段低下信号（例えば、２段階変更信号）を出力すると共に、火力設定状態を示す火力表示素子６に加熱部１
の変更後の火力「３」を表示する。すなわち、操作表示部２は火力ダウンキー４ｂが第２の所定時間以上押されることにより、その入力を受け付け、また、操作表示部２から火力複数段階低下信号を受けた加熱部１は、変更後の火力「３」に火力を変更し、加熱動作を継続する。ただし、加熱部１が設定火力「１」にて動作中（火力設定状態を示す火力表示素子６に火力「１」が表示された状態）に、加熱部１の設定火力を変更するために、火力アップキー４ａを第１の所定時間より長い第２の所定時間以上（例えば０．３秒以上）長押ししても、一段階の変更を維持し、火力ダウンキー４ｂを長押ししたような更に一段階以上変更するものではない。このように、火力設定キー４が押されている時間に応じて、加熱部１の火力を変更する処理を決定することにより、利用者は同様の操作を繰り返すことなく火力設定を素早く変更することができるため、安全性を保ちつつ、使い勝手を向上させることができる。
【００２３】
このとき、火力ダウンキー４ｂが長押しされている時間の長さに応じて、火力を変更する段階を設定する。すなわち、火力ダウンキー４ｂが第２の所定時間以上（例えば０．３秒以上）長押しされると、火力設定を複数段階低下させる処理を行うが、例えば０．３秒以上０．４秒未満であれば２段階、０．４秒以上０．５秒未満であれば３段階、０．５秒以上であれば４段階というように、操作表示部２が、火力ダウンキー４ｂが押されている時間を検知し、その時間に応じて変更する火力の段階を決定する。このように、火力ダウンキー４ｂが押されている時間に応じて、変更する火力の段階を決定することにより、利用者は少ない操作で素早く火力を変更することができ、操作性を向上させることができる。
【００２４】
さらに、火力ダウンキー４ｂを第２の所定時間以上受け付けた場合のみ、加熱部１の火力を複数段階低下させる機能の有効、無効を選択できる選択キー７により、本機能を有効にするか、無効にするかを選択することができる。有効状態であれば、本機能が有効となり、火力ダウンキー４ｂを第２の所定時間以上受け付けると、加熱部１の火力を複数段階低下させる機能が動作するが、無効状態であれば、火力ダウンキー４ｂを第２の所定時間以上受け付けても、加熱部１の火力を複数段階低下させる機能が動作しない。このように、利用者が本機能の有効、無効を容易に切り替えできるため、利用者の不用意なご操作を防止することができる。
【００２５】
また、切り替え表示素子８に、火力ダウンキー４ｂを第２の所定時間以上受け付けた場合のみ、加熱部１の火力をさらに一段階以上低下させる機能が有効か無効かどちらの状態であるかの表示を行う。これにより、機能が有効か無効かどちらの状態であるかを、利用者にとって視覚的に理解しやすい。
【００２６】
以上のように本参考の形態によれば、火力の段階を一段階のみ変更する火力設定キー４に、長押しの場合には火力をさらに一段階以上変更するという付加価値を備えることにより、新たなキーを設けることなく、同一キーの操作を変更することにより、操作表示部２を煩雑にすることなく、利用者の使い勝手を向上することができる。
【００２７】
（実施の形態１）
以下本発明の実施の形態を図面に基づいて説明する。加熱調理器の基本構成は、図１に示す参考の形態１のブロック図と同様であるため、説明を省略する。
【００２８】
加熱部１を加熱動作させるために、加熱キー３を第１の所定時間（例えば０．２秒）押すことにより、操作表示部２にてその入力を受け付け、加熱部１に加熱動作信号を出力すると共に、加熱状態を示す加熱表示素子５を点灯させ、火力設定状態を示す火力表示素子６に加熱部１の初期火力「３」を表示する。すなわち、操作表示部２は加熱キー３が第１の所定時間（例えば０．２秒）押されることにより、その入力を受け付け、また、操作表
示部２から加熱動作信号を受けた加熱部１は、初期火力「３」にて、加熱動作を開始する。
【００２９】
さらに、加熱部１の設定火力を変更するために、火力アップキー４ａあるいは火力ダウンキー４ｂを第１の所定時間（例えば０．２秒）押すことにより、操作表示部２にてその入力を受け付け、加熱部１に火力一段階変更信号を出力すると共に、火力設定状態を示す火力表示素子６に加熱部１の変更後の火力「４」（火力アップキー４ａを押した場合）あるいは「２」（火力ダウンキー４ｂを押した場合）を表示する。すなわち、操作表示部２は火力設定キー４が第１の所定時間（例えば０．２秒）押されることにより、その入力を受け付け、また、操作表示部２から火力一段階変更信号（上昇あるいは低下）を受けた加熱部１は、変更後の火力「４」（操作表示部２が火力アップキー４ａを受け付けた場合）あるいは「２」（操作表示部２が火力ダウンキー４ｂを受け付けた場合）に火力を変更し、加熱動作を継続する。
【００３０】
また、加熱部１が設定火力「５」にて動作中（火力設定状態を示す火力表示素子６に火力「５」が表示された状態）に、加熱部１の設定火力を変更するために、火力ダウンキー４ｂを第１の所定時間より長い第２の所定時間以上（例えば０．３秒以上）長押しすることにより、操作表示部２にてその入力を受け付け、加熱部１に火力一段階低下信号を出力すると共に、火力設定状態を示す火力表示素子６に加熱部１の変更後の火力「４」を表示する。さらに、火力ダウンキー４ｂの長押しが続いていれば（例えば０．８秒以上）、操作表示部２にてその入力を受け付け、加熱部１に再度火力一段階低下信号を出力するという操作を、火力ダウンキー４ｂの長押しが続いている間、一定間隔（例えば０．５秒間隔）毎に行う。すなわち、操作表示部２は火力ダウンキー４ｂが第２の所定時間以上（例えば０．３秒以上）押されることにより、その入力を受け付け、また、操作表示部２から火力一段階低下信号を受けた加熱部１は、火力を一段階低下させ、加熱動作を継続するという処理を一定間隔（例えば０．５秒間隔）毎に行う。このように、火力設定キー４が押されている時間に応じて、加熱部１の火力を変更する処理を決定することにより、利用者は同様の操作を繰り返すことなく火力設定を素早く変更することができるため、使用性を向上することができる。
【００３１】
このとき、火力ダウンキー４ｂが長押しされている時間の長さに応じて、火力を変更する間隔を設定する。すなわち、火力ダウンキー４ｂが第２の所定時間以上（例えば０．３秒以上）長押しされると、火力設定を一段階低下させ、さらに火力ダウンキー４ｂの長押しが第２の所定時間以上（例えば０．８秒以上）続いていれば、再度火力設定を一段階低下させるという処理を行うが、火力ダウンキー４ｂの長押し時間が長い程、再度火力設定を一段階低下させるという処理の間隔を短くする。例えば０．３秒以上長押しされると一段階火力を低下させ、更に０．８秒以上（間隔０．５秒）継続すると再度一段階火力を低下させ、更に１．２秒以上（間隔０．４秒）というように、操作表示部２が、火力ダウンキー４ｂが押されている時間を検知し、その時間に応じて火力を変更する間隔を決定する。ただし、加熱部１が設定火力「１」にて動作中（火力設定状態を示す火力表示素子６に火力「１」が表示された状態）に、加熱部１の設定火力を変更するために、火力アップキー４ａを第１の所定時間より長い第２の所定時間以上（例えば０．３秒以上）長押ししても、一段階の変更を維持し、火力ダウンキー４ｂを長押ししたような更に一段階以上変更するものではない。このように、火力ダウンキー４ｂが押されている時間に応じて、火力を変更する間隔を決定することにより、利用者は少ない操作で素早く火力を変更することができ、操作性を向上させることができる。
【００３２】
さらに、火力ダウンキー４ｂを第２の所定時間以上受け付けた場合のみ、加熱部の火力をさらに一段階以上低下させる機能の有効、無効を選択できる選択キー７により、本機能を有効にするか、無効にするかを選択することができる。有効状態であれば、本機能が有
効となり、火力ダウンキー４ｂを第２の所定時間以上受け付けると、加熱部の火力を複数段階低下させる機能が動作するが、無効状態であれば、火力ダウンキー４ｂを第２の所定時間以上受け付けても、加熱部の火力をさらに一段階以上低下させる機能が動作しない。このように、利用者が本機能の有効、無効を容易に切り替えできるため、利用者の不意なご操作を防止することができる。
【００３３】
また、切り替え表示素子８に、火力ダウンキー４ｂを第２の所定時間以上受け付けた場合のみ、加熱部の火力をさらに一段階以上低下させる機能が有効か無効かどちらの状態であるかの表示を行う。これにより、機能が有効か無効かどちらの状態であるかを、利用者にとって視覚的に理解しやすい。
【００３４】
以上のように本実施の形態によれば、火力の段階を一段階のみ変更する火力設定キー４に、長押しの場合には火力をさらに一段階以上変更するという付加価値を備えることにより、新たなキーを設けることなく、同一キーの操作を変更することにより、操作表示部２を煩雑にすることなく、利用者の使い勝手を向上することができる。
【００３５】
尚、本実施の形態では加熱部が１つ存在する場合について述べているが、２つ以上存在する場合でも、各加熱部に対応する操作表示部にて、火力設定キーの長押しを検知し、変更する火力の段階を決定することにより、同様の効果が得られる。
【産業上の利用可能性】
【００３６】
本発明の加熱調理器は、マイクロコンピュータ等を用いたシステムで構築され、操作表示部を有した加熱調理器にて、操作表示部のキー配置を煩雑にすることなく操作性を向上させることができるため、家庭用の加熱調理器だけでなく、レストランの厨房などで使用される業務用の操作表示部を有した加熱調理器等にも適用できる。
【符号の説明】
【００３７】
１、１０１  加熱部
２、１０２  操作表示部
３、１０３  加熱キー
４、１０４  火力設定キー
４ａ、１０４ａ  火力アップキー
４ｂ、１０４ｂ  火力ダウンキー
５、１０５  加熱表示素子
６、１０６  火力表示素子
７  選択キー
８  切り替え表示素子（切り替え表示手段）
【図１】
2013019667.tif 000003
【図２】
2013019667.tif 000004